(57)【要約】【課題】電子式調光、輝度記憶、定時オン或いはオフ等の多機能を実現する照明の制御モジュールとその方法。【解決手段】照明のコントロールモジュールとその方法は、スイッチユニット20、ランプコントロールインターフェース40、ランプ50に適用し、照明のコントロールモジュール30は、表示サブモジュール34を調光信号アウトプットサブモジュール32に電気的に連接し、該サブモジュール32はスイッチユニット20のオンの回数及び停留時間により調光及び時間計測等信号を発する調光マイクロプロセッサー330を備え、表示サブモジュール34は表示マイクロプロセッサー348及び表示ユニット346を備え、該プロセッサー348は表示ユニット346に電気的に連接し、前記サブモジュール32及び表示サブモジュール34は、スイッチユニット20に電気的に連接し、表示マイクロプロセッサー348は、スイッチユニット20のオンの回数及び停留時間により、表示ユニット346を駆動する。【選択図】図１
2011029154.tif 000002
【特許請求の範囲】
【請求項１】
スイッチユニット、ランプコントロールインターフェース、ランプを制御する照明のコントロールモジュールであって、
前記照明のコントロールモジュールは、調光信号アウトプットサブモジュールを備え、該調光信号アウトプットサブモジュールは調光マイクロプロセッサー及び第一メモリユニットを備え、
該第一メモリユニットは、前記調光マイクロプロセッサーに電気的に連接し、
該調光マイクロプロセッサーは前記スイッチユニットのオンの回数及び停留時間により、コントロール信号を発し、これにより前記ランプコントロールインターフェースを制御し、前記ランプを駆動制御したことを特徴とする照明のコントロールモジュール。
【請求項２】
前記コントロール信号は、前記ランプの輝度を制御する調光信号であることを特徴とする請求項１記載の照明のコントロールモジュール。
【請求項３】
前記コントロール信号は、前記ランプの駆動時間を制御する時間計測信号であることを特徴とする請求項１記載の照明のコントロールモジュール。
【請求項４】
前記調光信号アウトプットサブモジュールは、さらに、該調光信号アウトプットサブモジュールのための第一電源転換ユニットを備え、該第一電源転換ユニットは該調光マイクロプロセッサーに電気的に連接したことを特徴とする請求項１記載の照明のコントロールモジュールとその方法。
【請求項５】
前記調光信号アウトプットサブモジュールはさらに、前記第一電源転換ユニットからの電源を切断する電源ゼロ点ディテクトユニットを備え、
該電源ゼロ点ディテクトユニットは、該調光マイクロプロセッサーに電気的に連接したことを特徴とする請求項４記載の照明のコントロールモジュール。
【請求項６】
前記照明のコントロールモジュールはさらに、表示サブモジュールを備え、該スイッチユニットに電気的に連接し、該表示サブモジュールは、表示マイクロプロセッサー、第二メモリユニット、表示ユニットを備え、
該第二メモリユニットは、該表示マイクロプロセッサーに電気的に連接し、
該表示ユニットは、該表示マイクロプロセッサーに電気的に連接し、
該表示マイクロプロセッサーは、該スイッチユニットのオンの回数及び停留時間により、表示信号を発し、該表示ユニットを駆動したことを特徴とする請求項１、或いは４、或いは５記載の照明のコントロールモジュール。
【請求項７】
前記表示信号は、該ランプの輝度表示信号であることを特徴とする請求項６記載の照明のコントロールモジュール。
【請求項８】
前記表示信号は、該ランプの時間計測表示信号であることを特徴とする請求項６記載の照明のコントロールモジュール。
【請求項９】
前記表示サブモジュールはさらに、第二電源転換ユニットを備え、
該第二電源転換ユニットは、該表示マイクロプロセッサーに電気的に連接したことを特徴とする請求項６記載の照明のコントロールモジュール。
【請求項１０】
電源、スイッチユニット、ランプコントロールインターフェース、ランプを制御する照明のコントロール方法であって、
該照明のコントロール方法は、以下を含み、
A. 調光信号アウトプットサブモジュールを提供し、
B. 該調光信号アウトプットサブモジュールに、調光マイクロプロセッサー及び第一メモリユニットを提供し、該第一メモリユニットは、該スイッチユニットのオンの回数及び停留時間から派生した該ランプのコントロール設定を記憶でき、
C. 該調光マイクロプロセッサーは、該スイッチユニットのオンの回数及び停留時間により、コントロール信号を発し、これにより該ランプコントロールインターフェースを制御し、該ランプを駆動したこと含むことを特徴とする照明のコントロール方法。
【請求項１１】
前記照明のコントロール方法はさらに、以下を含み、
B1. 該コントロール設定は、該ランプの輝度設定で、
C1. 該コントロール信号は、該ランプの調光信号であることを含むことを特徴とする請求項１０記載の照明のコントロール方法。
【請求項１２】
前記照明のコントロール方法はさらに、以下を含み、
B2. 該コントロール設定は、該ランプの時間計測設定で、
C2. 該コントロール信号は、該ランプの時間計測信号であることを含むことを特徴とする請求項１０記載の照明のコントロール方法。
【請求項１３】
前記照明のコントロール方法はさらに、以下を含み、
D. 表示サブモジュールを提供し、
E. 該表示サブモジュールに、表示マイクロプロセッサー及び第二メモリユニットを提供し、該第二メモリユニットは、該スイッチユニットのオンの回数及び第二電源転換ユニット停留時間から派生した該ランプの該コントロール設定を記憶でき、
F. 該表示サブモジュールに、表示ユニットを提供し、
G. 該表示マイクロプロセッサーは、該スイッチユニットのオンの回数及び停留時間により、該ランプの該コントロール設定の表示信号を発し、該表示ユニットを駆動したことを含むことを特徴とする請求項１０記載の照明のコントロール方法。
【請求項１４】
前記照明のコントロール方法はさらに、以下を含み、
E1. 該コントロール設定は、該ランプの輝度設定で、
G1. 該表示信号は、該ランプの輝度表示信号であることを含むことを特徴とする請求項１３記載の照明のコントロール方法。
【請求項１５】
前記照明のコントロール方法はさらに、以下を含み、
E2. 該コントロール設定は、該ランプの時間計測設定で、
G2. 該表示信号は、該ランプの時間計測表示信号であることを含むことを特徴とする請求項１３記載の照明のコントロール方法。
【請求項１６】
前記第一メモリユニットに、該スイッチユニットのオン回数の記録が一回もない時には、
該第一メモリユニットにより、該スイッチユニットのオンの回数一回の記録を記憶し、所定の秒数スタンバイし、
該第一メモリユニットの該スイッチユニットのオンの回数記録を消去し、
該第一メモリユニットの該ランプの輝度記録を読み取り、
該調光マイクロプロセッサーランプをオンにする記憶輝度指令を発し、
該第一メモリユニットに、該スイッチユニットのオンの回数一回の記録がある時には、該第一メモリユニットの該スイッチユニットのオンの回数記録を消去し、ランプに輝度の漸次変化指令を発し、 
これにより、該ランプの輝度は漸次変化し、
該第一メモリユニットによりすべての該ランプの輝度変化を記録したことを特徴とする請求項１１記載の照明のコントロール方法。
【請求項１７】
前記第一メモリユニットに、該スイッチユニットのオン回数の記録が一回もない時には、該第一メモリユニットにより、該スイッチユニットのオンの回数一回の記録を記憶し、
所定の秒数スタンバイし、
該第一メモリユニットの該スイッチユニットのオンの回数記録を消去し、
該第一メモリユニットの該ランプのオン或いはオフ時間設定記録を読み取り、
該ランプの時間計測機能をオンにする指令を発し、
該第一メモリユニットに、該スイッチユニットのオンの回数一回の記録がある時には、
該第一メモリユニットの該スイッチユニットのオンの回数記録を消去し、時間計測機能設定指令を発し、
該ランプのオン或いはオフ時間の設定は、循環式累積を開始し、該第一メモリユニットにより記録したことを特徴とする請求項１２記載の照明のコントロール方法。
【請求項１８】
前記該第一メモリユニットに、該スイッチユニットのオン回数の記録が一回もないなら、該第一メモリユニットにより、該スイッチユニットのオンの回数一回の記録を記憶し、所定の秒数スタンバイし、
該第一メモリユニットの該スイッチユニットのオンの回数記録を消去し、
該第一メモリユニットの該ランプの輝度記録を読み取り、
該調光マイクロプロセッサーランプをオンにする記憶輝度指令を発し、
該第一メモリユニットの該ランプのオン或いはオフ時間設定記録を読み取り、
該ランプの時間計測機能をオンにする指令を発し、 
カウントダウンを開始し、
該第一メモリユニットに、該スイッチユニットのオンの回数一回の記録はあるが、オンの回数二回の記録がない時には、該第一メモリユニットにより該スイッチユニットのオンの回数二回の記録を記録し、所定の秒数スタンバイし、
該第一メモリユニットの該スイッチユニットのオンの回数記録を消去し、
ランプに輝度の漸次変化指令を発し、これにより、該ランプの輝度は漸次変化し、
該第一メモリユニットによりすべての該ランプの輝度変化を記録し、
該第一メモリユニットに、該スイッチユニットのオンの回数二回の記録がある時には、
該第一メモリユニットの該スイッチユニットのオンの回数記録を消去し、時間計測機能設定指令を発し、
該ランプのオン或いはオフ時間の設定は、循環式累積を開始し、該第一メモリユニットにより記録したことを特徴とする請求項１１、或いは１２記載の照明のコントロールモジュールとその方法。
【請求項１９】
前記第二メモリユニットに、該スイッチユニットのオンの回数一回の記録がない時には、
該第二メモリユニットにより、該スイッチユニットのオンの回数一回の記録を記録し、所定の秒数スタンバイし、
該第二メモリユニットの該スイッチユニットのオンの回数記録を消去し、
該第二メモリユニットの該ランプの輝度記録を読み取り、
該表示ユニットは、該ランプの輝度記録を表示し、
該第二メモリユニットに、該スイッチユニットのオンの回数一回の記録がある時には、該第二メモリユニットの該スイッチユニットのオンの回数記録を消去し、ランプに輝度の漸次変化指令を発し、
これにより、該ランプの輝度は漸次変化し、及び該第二メモリユニットにより、すべての該ランプの輝度変化を記録し、しかも該表示ユニットに表示したことを特徴とする請求項１４記載の照明のコントロールモジュールとその方法。
【請求項２０】
前記第二メモリユニットに、該スイッチユニットのオンの回数一回の記録がない時には、該第二メモリユニットにより、該スイッチユニットのオンの回数一回の記  録を記録し、所定の秒数スタンバイし、
該第二メモリユニットの該スイッチユニットのオンの回数記録を消去し、
該第二メモリユニットのランプのオン或いはオフ時間設定記録を読み取り、
カウントダウンを開始し、該ランプのオン或いはオフ余剰の時間を該表示ユニットに表示し、
該第二メモリユニットに、該スイッチユニットのオンの回数一回の記録がある時には、
該第二メモリユニットの該スイッチユニットのオンの回数記録を消去し、
時間計測機能設定指令を発し、
該ランプのオン或いはオフ時間の設定は、循環式累積を開始し、該第二メモリユニットにより記録し、しかも該表示ユニットに表示したことを特徴とする請求項１５記載の照明のコントロール方法。
【請求項２１】
前記第二メモリユニットに、該スイッチユニットのオンの回数一回の記録がない時には、該第二メモリユニットにより、該スイッチユニットのオンの回数一回の記録を記録し、所定の秒数スタンバイし、
該第二メモリユニットの該スイッチユニットのオンの回数記録を消去し、
該第二メモリユニットの該ランプの輝度記録を読み取り、
該表示ユニットは、該ランプの輝度記録を表示し、
該第二メモリユニットの該ランプのオン或いはオフの時間設定記録を読み取り、
カウントダウンを開始し、該ランプのオン或いはオフ余剰の時間を該表示ユニットに表示し、
該第二メモリユニットに、該スイッチユニットのオンの回数一回の記録があるが、オンの回数二回の記録がない時には、該第二メモリユニットにより、該スイッチユニットのオンの回数二回の記録を記録し、所定の秒数スタンバイし、
該第二メモリユニットの該スイッチユニットのオンの回数記録を消去し、
ランプに輝度の漸次変化指令を発し、 
これにより、該ランプの輝度は漸次変化し、 
該第二メモリユニットにより、すべての該ランプの輝度変化を記録し、しかも該表示ユニットに表示し、
該第二メモリユニットに、該スイッチユニットのオンの回数二回の記録がある時には、
該第二メモリユニットの該スイッチユニットのオンの回数記録を消去し、
時間計測機能設定指令を発し、
該ランプのオン或いはオフ時間の設定は、循環式累積を開始し、該第二メモリユニットにより記録し、しかも該表示ユニットに表示したことを特徴とする請求項１４、或いは１５記載の照明のコントロールモジュールとその方法。
【発明の詳細な説明】
【技術分野】
【０００１】
本発明は、照明の調光等を制御する照明のコントロールモジュールとその方法に関し、特に、照明の多機能を実現する所謂インテリジェント機能を有するコントロールモジュールとその方法に関するものである。
【背景技術】
【０００２】
ランプの照明に関しては、睡眠時には照明の輝度を落とし、読書時には照明の輝度を上げることが求められるなど、使用者からのニーズがさまざまにあるため、いろいろな輝度の照明機器が開発されている。
これに対応しようと、所望の輝度に制御可能な調光器が発明され、照明の輝度が調整できるようになっている。
【０００３】
現在多用されるている調光コントロールは、電源スイッチ位置に調光器を増設するものである。該調光器を通して、電源スイッチのインプット電源を調整し、照明の強弱をコントロールする。
しかし、この種の方式では調光器の設置が必須で、しかも機械式ダイヤル型調光器（Triac型）は損壊し易いという問題がある。
一方、電子式壁面取付スイッチ型調光器、或いはコントロールパネルには、照明を完全に落とした後も、スイッチそのものはなお稼働を継続して電力消費を続けるという欠点がある。
【０００４】
すなわち、上記したどの方式を採用して照明コントロールを行っても、以下に列記する欠点の内の少なくとも一つは免れることはできない。
１．操作が不正確で、機能は不完全であり、しかも損壊し易い（例えば、Triac型機械式ダイヤル型調光器など）。
２．照明を完全に落とした後も、スイッチそのものはなお継続して電力消費を続ける（例えば、電子式壁面取付スイッチ型調光器、或いはコントロールパネルなど）。
本発明は、従来の照明のコントロール方法の上記した欠点に鑑みてなされたものである。
【先行技術文献】
【特許文献】
【０００５】
【特許文献１】特開平７−２７２８６７号公報
【発明の概要】
【発明が解決しようとする課題】
【０００６】
本発明が解決しようとする第一の課題は、照明のコントロールモジュールを提供することである。
本発明が解決しようとする第二の課題は、照明のコントロール方法を提供することである。
【課題を解決するための手段】
【０００７】
上記課題を解決するため、本発明は下記の照明のコントロールモジュールとその方法を提供する。
照明のコントロールモジュールは、スイッチユニット、ランプコントロールインターフェース、ランプに応用し、該照明のコントロールモジュールは、調光信号アウトプットサブモジュールを備え、該調光信号アウトプットサブモジュールは、調光マイクロプロセッサーを備え、該調光信号アウトプットサブモジュールは、該スイッチユニットに電気的に連接し、該調光マイクロプロセッサーは、該スイッチユニットのオンの回数及び停留時間により、調光及び時間計測等信号を発し、該ランプコントロールインターフェースを制御し、該ランプを駆動し、照明のコントロール方法は、電源、スイッチユニット、ランプコントロールインターフェース、ランプに適用する。
該照明のコントロール方法は、以下を含み、
該調光信号アウトプットサブモジュールを提供し、
該調光信号アウトプットサブモジュールに、調光マイクロプロセッサーを提供し、
該調光マイクロプロセッサーは、該スイッチユニットのオンの回数及び停留時間により、調光及び時間計測等信号を発し、該ランプコントロールインターフェースを制御し、該ランプを駆動する。
【発明の効果】
【０００８】
本発明の照明のコントロールモジュールとその方法は、伝統的なスイッチユニットを使用し、調光信号アウトプットサブモジュールを組合せるだけで、電子式調光、輝度記憶、定時オン或いはオフ等の多機能を実現することができる。
さらに、調光信号アウトプットサブモジュールを使用し、表示サブモジュールを組合せ、スイッチユニットのオンの回数及び停留時間を利用し、調光マイクロプロセッサーと表示マイクロプロセッサーの間の同調（synchronization）を達成し、これにより表示サブモジュールは、低コストの方式で正確に、照明輝度、消費電力パーセンテージ、オンとオフの時間計測機能等の関連データを表示することができる。
また、ランプの照明を完全に落とした後の消費電力は、完全にゼロで、調光信号アウトプットサブモジュール、ランプコントロールインターフェース、ランプは統合した設計とされ、こうして使用と設置の利便性を向上させることができる。
【図面の簡単な説明】
【０００９】
【図１】本発明の実施例の調光信号アウトプットサブモジュール応用のブロックチャートである。
【図２】本発明の調光信号アウトプットサブモジュールのブロックチャートである。
【図３】本発明の調光信号アウトプットサブモジュールのフローチャートである。
【図４】本発明の照明のコントロールモジュール応用のブロックチャートである。
【図５】本発明の表示サブモジュールのブロックチャートである。
【図６】本発明の表示サブモジュールのフローチャートである。
【図７】本発明の照明のコントロールモジュールの第二実施例応用のブロックチャートである。
【図８】本発明の表示サブモジュールの第二実施例のブロックチャートである。
【図９】本発明の調光信号アウトプットサブモジュールの回路図である。
【図１０】本発の明表示サブモジュールの回路図である。
【図１１】本発明の表示サブモジュールの第二実施例の回路図である。
【図１２】本発明の調光信号アウトプットサブモジュールのフローチャートである。
【図１３】本発明の調光信号アウトプットサブモジュールのもう一つのフローチャートである。
【図１４】本発明の表示サブモジュールのフローチャートである。
【図１５】本発明の表示サブモジュールのもう一つのフローチャートである。
【発明を実施するための形態】
【００１０】
以下に図面を参照しながら、本発明の多機能を実現する所謂インテリジェント機能を有する照明のコントロールモジュールとその方法を実施するための最良の実施形態について詳細に説明する。
【実施例】
【００１１】
本発明の照明のコントロールモジュールは、調光信号アウトプットサブモジュール応用のブロックチャートである図１に示すように、調光信号アウトプットサブモジュール32は、電源10、スイッチユニット20、ランプコントロールインターフェース40、ランプ50に適用する。
前記スイッチユニット20は、該電源10、該ランプコントロールインターフェース40、該調光信号アウトプットサブモジュール32に電気的に連接する。
前記ランプコントロールインターフェース40はさらに、該調光信号アウトプットサブモジュール32及び該ランプ50に電気的に連接する。
前記ランプコントロールインターフェース40は、フェーズコントロール（Phase Control）或いはパルス変調（PWM）コントロール信号を受信可能なランプコントロールインターフェースである。
【００１２】
本発明の調光信号アウトプットサブモジュールのブロックチャートである図２に示すように、該調光信号アウトプットサブモジュール32は、第一メモリユニット322、電源ゼロ点ディテクトユニット324、第一電源インプット端326、第一電源転換ユニット328、調光マイクロプロセッサー330、パルス変調コントロール信号アウトプット端332、フェーズコントロールコントロール信号アウトプット端334からなる。
【００１３】
前記調光マイクロプロセッサー330は、該第一メモリユニット322(或いは、該第一メモリユニット322は、該調光マイクロプロセッサー330の内部メモリとすることができる)、該電源ゼロ点ディテクトユニット324、該第一電源転換ユニット328、該パルス変調コントロール信号アウトプット端332、該フェーズコントロールコントロール信号アウトプット端334に電気的に連接する。
【００１４】
該第一電源インプット端326は、該スイッチユニット20、該第一電源転換ユニット328及び該電源ゼロ点ディテクトユニット324に電気的に連接する。該パルス変調コントロール信号アウトプット端332及び該フェーズコントロールコントロール信号アウトプット端334は、更にランプコントロールインターフェース40に電気的に連接する。
【００１５】
該電源ゼロ点ディテクトユニット324は、電源10の電位が零電位(即ち、電源値はゼロ)かどうかを検出に用いられ、該第一電源インプット端326は、電源インプットの端点(或いは起点、即ち、該第一電源インプット端326から電源をインプット)、該第一電源転換ユニット328は、電源を転換処理に用いられ、例えば、交流電流を直流電流に転換する。なお、変換された第一電源転換ユニット328は調光マイクロプロセッサー330の電源となる。
【００１６】
該調光マイクロプロセッサー330は、該スイッチユニット20のオンの回数及び停留時間により、コントロール信号S1を発し、これにより該ランプコントロールインターフェース40を制御し、該ランプ50を駆動する。
該コントロール信号S1は、該ランプ50の調光信号、或いは該ランプ50の時間計測信号である。
該第一メモリユニット322は、該スイッチユニット20のオンの回数、及び停留時間から派生したランプ輝度、或いは時間計測の設定を記憶することができる。
【００１７】
本発明の調光信号アウトプットサブモジュールのフローチャートである図１２に示すように、該第一メモリユニット322に、該スイッチユニット20のオン回数の記録が一回もない時には、該第一メモリユニット322により、該スイッチユニット20のオンの回数一回の記録を記憶する。
次に、所定の秒数スタンバイし、該第一メモリユニット322の該スイッチユニット20のオンの回数記録を消去する。
さらに、該第一メモリユニット322の該ランプ50の輝度記録を読み取り、該調光マイクロプロセッサー330は、該ランプ50をオンにする記憶輝度指令を発する。
【００１８】
該第一メモリユニット322に、該スイッチユニット20のオンの回数一回の記録がある時には、該第一メモリユニット322の該スイッチユニット20のオンの回数記録を消去し、該ランプ50の輝度の漸次変化指令を発する。これにより、該ランプ50の輝度は漸次変化し、該第一メモリユニット322によりすべての該ランプ50の輝度変化を記録する。
【００１９】
本発明の調光信号アウトプットサブモジュールのもう一つのフローチャートである図１３に示すように、該第一メモリユニット322に、該スイッチユニット20のオン回数の記録が一回もない時には、該第一メモリユニット322により、該スイッチユニット20のオンの回数一回の記録を記憶する。
次に、所定の秒数スタンバイし、該第一メモリユニット322の該スイッチユニット20のオンの回数記録を消去し、該第一メモリユニット322の該ランプ50のオン或いはオフ時間設定記録を読み取り、該ランプ50の時間計測機能をオンにする指令を発する。
【００２０】
該第一メモリユニット322に、該スイッチユニット20のオンの回数一回の記録がある時には、該第一メモリユニット322の該スイッチユニット20のオンの回数記録を消去し、時間計測機能設定指令を発し、該ランプ50のオン或いはオフ時間の設定は、循環式累積(即ち、累積増加)を開始し、該第一メモリユニット322により記録する。
【００２１】
本発明の調光信号アウトプットサブモジュールのもう一つのフローチャートである図３に示すように、もし該第一メモリユニット322に、該スイッチユニット20のオンの回数一回の記録がなければ、該第一メモリユニット322により該スイッチユニット20のオンの回数一回の記録を記録する。
続いて、所定秒数のスタンバイ後、該第一メモリユニット322の該スイッチユニット20のオンの回数記録を消去する。
【００２２】
次に、該第一メモリユニット322の該ランプ50の輝度記録を読み取り、該調光マイクロプロセッサー330は、ランプ50をオンにする記憶輝度指令を発する。
さらに、該第一メモリユニット322のランプ50のオン或いはオフ時間設定記録を読み取り、該ランプ50の時間計測機能をオンにする指令を発する。
最後に、カウントダウンを開始する。
【００２３】
もし、該第一メモリユニット322に、該スイッチユニット20のオンの回数一回の記録があるが、オンの回数二回の記録がないなら、該第一メモリユニット322により、該スイッチユニット20のオンの回数二回の記録を記録する。
続いて、所定秒数のスタンバイ後、該第一メモリユニット322の該スイッチユニット20のオンの回数記録を消去する。
次に、ランプ50に輝度の漸次変化指令を発し、該ランプ50の輝度は漸次変化を行う。
同時に、該第一メモリユニット322により、すべての該ランプ50の輝度変化を記録する。
【００２４】
該第一メモリユニット322に、すべての該ランプ50の輝度変化を記録する間、該スイッチユニット20により、電源10をオフにし、該第一メモリユニット322が記録した最後の該ランプ50の輝度が、設定される該ランプ50の輝度記録となる。
もし、該第一メモリユニット322に、該スイッチユニット20のオンの回数二回の記録があるなら、該第一メモリユニット322の該スイッチユニット20のオンの回数記録を消去する。
続いて、時間計測機能設定指令を発する。
最後に、該ランプ50のオン或いはオフ時間の設定は、循環式累積(即ち、累積増加)を開始し、該第一メモリユニット322により記録する。
【００２５】
該第一メモリユニット322に、すべての該ランプ50のオン或いはオフ時間の設定の循環式累積値の期間を記録し、該スイッチユニット20により、電源10をオフにし、該第一メモリユニット322が記録した最後の該ランプ50のオン或いはオフ時間の設定の循環式累積値が、設定する該ランプ50のオン或いはオフ時間設定記録となる。
【００２６】
本発明の照明のコントロールモジュール応用のブロックチャートである図４に示すように、本発明の照明のコントロールモジュール30は、該電源10、該スイッチユニット20、該ランプコントロールインターフェース40、該ランプ50に適用する。
該照明のコントロールモジュール30は、該調光信号アウトプットサブモジュール32及び表示サブモジュール34を備える。
該スイッチユニット20は、該電源10、該ランプコントロールインターフェース40、該表示サブモジュール34、該調光信号アウトプットサブモジュール32に電気的に連接する。
該ランプコントロールインターフェース40はさらに、該調光信号アウトプットサブモジュール32及び該ランプ50に電気的に連接する。
【００２７】
本発明の表示サブモジュールのブロックチャートである図５に示すように、該表示サブモジュール34は、第二電源インプット端342、第二電源転換ユニット344、表示ユニット346、表示マイクロプロセッサー348、第二メモリユニット350を備える。
【００２８】
該第二電源インプット端342は、該第二電源転換ユニット344に電気的に連接する。
該表示マイクロプロセッサー348は、該第二電源転換ユニット344、該表示ユニット346、該第二メモリユニット350 (或いは、該第二メモリユニット350は、該表示マイクロプロセッサー348の内部メモリである)に電気的に連接する。該第二電源転換ユニット344は、電源を転換処理に用いられ、例えば、交流電流を直流電流に転換する。なお、変換された第二電源転換ユニット344は表示マイクロプロセッサー348の電源となる。
【００２９】
該表示マイクロプロセッサー348は、該スイッチユニット20のオンの回数及び時間により、表示信号S2を発し、該表示ユニット346を駆動する。
該表示信号S2は、該ランプ50の輝度表示信号、或いは該ランプ50の時間計測表示信号である。該第二メモリユニット350は、該スイッチユニット20のオンの回数、及び停留時間から派生したランプ輝度、或いは時間計測の設定を記憶することができる。
【００３０】
本発明の表示サブモジュールのフローチャートである図１４に示すように、該第二メモリユニット350に、該スイッチユニット20のオンの回数一回の記録がない時には、該第二メモリユニット350により、該スイッチユニット20のオンの回数一回の記録を記録する。そして、所定の秒数スタンバイし、該第二メモリユニット350の該スイッチユニット20のオンの回数記録を消去し、該第二メモリユニット350の該ランプ50の輝度記録を読み取り、該表示ユニット346は、該ランプ50の輝度記録を表示する。
【００３１】
該第二メモリユニット350に、該スイッチユニット20のオンの回数一回の記録がある時には、該第二メモリユニット350の該スイッチユニット20のオンの回数記録を消去し、該ランプ50の輝度の漸次変化指令を発する。
これにより、該ランプ50の輝度は漸次変化し、該第二メモリユニット350により、すべての該ランプ50の輝度変化を記録し、しかも該表示ユニット346に表示する。
【００３２】
本発明の表示サブモジュールのもう一つのフローチャートである図１５に示すように、該第二メモリユニット350に、該スイッチユニット20のオンの回数一回の記録がない時には、該第二メモリユニット350により、該スイッチユニット20のオンの回数一回の記録を記録する。
そして、所定の秒数スタンバイし、該第二メモリユニット350の該スイッチユニット20のオンの回数記録を消去し、該第二メモリユニット350の該ランプ50のオン或いはオフの時間設定記録を読み取り、カウントダウンを開始し、該ランプ50のオン或いはオフ余剰の時間を該表示ユニット346に表示し、即ち、該ランプ50の既にオンとなる時間を該表示ユニット346に表示し、或いは、該ランプ50の駆動時間がいくらの時間を残って、オフとなる時間を該表示ユニット346に表示する。
【００３３】
該第二メモリユニット350に、該スイッチユニット20のオンの回数一回の記録がある時には、該第二メモリユニット350の該スイッチユニット20のオンの回数記録を消去する。続いて、時間計測機能設定指令を発し、該ランプ50のオン或いはオフ時間の設定は、循環式累積(即ち、累積増加)を開始し、該第二メモリユニット350により記録し、しかも該表示ユニット346に表示する。
【００３４】
本発明の表示サブモジュールのもう一つのフローチャートである図６に示すように、もし、該第二メモリユニット350に、該スイッチユニット20のオンの回数一回の記録がなければ、該第二メモリユニット350により、該スイッチユニット20のオンの回数一回の記録を記録する。
続いて、所定秒数のスタンバイ後、該第二メモリユニット350の該スイッチユニット20のオンの回数記録を消去し、次に、該第二メモリユニット350の該ランプ50の輝度記録を読み取り、該表示ユニット346は、該ランプ50の輝度記録を表示する。
【００３５】
さらに、該第二メモリユニット350のランプ50のオン或いはオフ時間設定記録を読み取り、該ランプ50の時間計測機能をオンにする指令を発する。
最後に、カウントダウンを開始し、該ランプ50のオン或いはオフ余剰の時間を該表示ユニット346に表示し、即ち、該ランプ50の既にオンとなる時間を該表示ユニット346に表示し、或いは、該ランプ50の駆動時間がいくらの時間を残って、オフとなる時間を該表示ユニット346に表示する。
【００３６】
もし、該第二メモリユニット350に、該スイッチユニット20のオンの回数一回の記録があるが、オンの回数二回の記録がないなら、該第二メモリユニット350により、該スイッチユニット20のオンの回数二回の記録を記録する。
続いて、所定秒数のスタンバイ後、該第二メモリユニット350の該スイッチユニット20のオンの回数記録を消去する。
次に、ランプ50の輝度の漸次変化指令を発し、該ランプ50の輝度は漸次変化を行う。
同時に、該第二メモリユニット350により、すべての該ランプ50の輝度変化を記録し、しかも該表示ユニット346に表示する。
【００３７】
該第二メモリユニット350に、すべての該ランプ50の輝度変化を記録する間は、該スイッチユニット20により、電源10をオフにし、該第二メモリユニット350が記録した最後の該ランプ50の輝度が、設定される該ランプ50の輝度記録となる。もし、該第二メモリユニット350に、該スイッチユニット20のオンの回数二回の記録があるなら、該第二メモリユニット350の該スイッチユニット20のオンの回数記録を消去する。
【００３８】
続いて、時間計測機能設定指令を発する。最後に、該ランプ50のオン或いはオフ時間の設定は、循環式累積(即ち、累積増加)を開始し、該第二メモリユニット350により記録し、しかも該表示ユニット346に表示する。
該第二メモリユニット350に、すべての該ランプ50のオン或いはオフ時間の設定の循環式累積値を記録する間、スイッチユニット20により電源10をオフにし、該第二メモリユニット350が記録した最後の該ランプ50のオン或いはオフ時間の設定の循環式累積値が、設定する該ランプ50のオン或いはオフ時間設定記録となる。
【００３９】
図７は、本発明の照明のコントロールモジュールの第二実施例応用のブロックチャートで、図８は、本発明表示サブモジュールの第二実施例のブロックチャートである。
図４と図７との差異は、該表示サブモジュール34が、該スイッチユニット20を備え、表示サブモジュール34Aとなる点である。これにより、実際の製品に応用する際には、より一層便利である。
【００４０】
該表示サブモジュール34Aは、該電源10、該ランプコントロールインターフェース40、該調光信号アウトプットサブモジュール32に電気的に連接する。
該ランプコントロールインターフェース40はさらに、該調光信号アウトプットサブモジュール32及び該ランプ50に電気的に連接する。
該表示サブモジュール34Aは、第三電源インプット端352、スイッチサブユニット354、電源アウトプット端356、該第二電源転換ユニット344、該表示ユニット346、該表示マイクロプロセッサー348、該第二メモリユニット350を備える。
【００４１】
該第三電源インプット端352は、該スイッチサブユニット354に電気的に連接する。
該電源アウトプット端356は、該スイッチサブユニット354及び該第二電源転換ユニット344に電気的に連接する。
該表示マイクロプロセッサー348は、該第二電源転換ユニット344、該表示ユニット346及び該第二メモリユニット350 (或いは、該第二メモリユニット350は該表示マイクロプロセッサー348の内部メモリである)に電気的に連接する。
他の動作過程は、上記した実施例に類似しているため、詳述しない。
【００４２】
図９は、本発明調光信号アウトプットサブモジュールの回路図で、図１０は、本発明表示サブモジュールの回路図（図５に対応）で、図１１は、本発明表示サブモジュールの第二実施例回路図（図８に対応）である。
【００４３】
本発明の長所は以下の通りである。
1.伝統的なスイッチユニット20を使用し、調光信号アウトプットサブモジュール32を組合せるだけで、電子式調光、輝度記憶、定時オン或いはオフ等の多機能を実現することができる。
2.調光信号アウトプットサブモジュール32を使用し、表示サブモジュール34（或いは、表示サブモジュール34A）を組合せ、スイッチユニット20（或いは、スイッチサブユニット354）のオンの回数及び停留時間を利用し、調光マイクロプロセッサー330と表示マイクロプロセッサー348の間の同調（synchronization）を達成する。これにより、表示サブモジュール34（或いは、表示サブモジュール34A）は、低コストの方式で正確に、照明輝度、消費電力パーセンテージ、オンとオフの時間計測機能等の関連データを表示することができる。
3.ランプ50の照明を完全に落とした後の消費電力は、完全にゼロである。
4.調光信号アウトプットサブモジュール32、ランプコントロールインターフェース40、ランプ50は統合した設計とされ、こうして使用と設置の利便性を向上させることができる。
【００４４】
上記の本発明名称と内容は、本発明技術内容の説明に用いたのみで、本発明を限定するものではない。本発明の精神に基づく等価応用或いは部品（構造）の転換、置換、数量の増減はすべて、本発明の保護範囲に含むものとする。
【産業上の利用可能性】
【００４５】
本発明は特許請求の要件である新規性を備え、従来の同類製品に比べ十分な進歩を有し、実用性が高く、社会のニーズに合致しており、産業上の利用価値は非常に大きい。
【符号の説明】
【００４６】
10  電源
20  スイッチユニット
30  照明のコントロールモジュール
32  調光信号アウトプットサブモジュール
34  表示サブモジュール
34A  表示サブモジュール
40  ランプコントロールインターフェース
50  ランプ
322  第一メモリユニット
324  電源ゼロ点ディテクトユニット
326  第一電源インプット端
328  第一電源転換ユニット
330  調光マイクロプロセッサー
332  パルス変調コントロール信号アウトプット端
334  フェーズコントロールコントロール信号アウトプット端
342  第二電源インプット端
344  第二電源転換ユニット
346  表示ユニット
348  表示マイクロプロセッサー
350  第二メモリユニット
352  第三電源インプット端
354  スイッチサブユニット
356  電源アウトプット端
S1  コントロール信号
S2  表示信号
【図１】
2011029154.tif 000003
【図２】
2011029154.tif 000004
【図３】
2011029154.tif 000005
【図４】
2011029154.tif 000006
【図５】
2011029154.tif 000007
【図６】
2011029154.tif 000008
【図７】
2011029154.tif 000009
【図８】
2011029154.tif 000010
【図９】
2011029154.tif 000011
【図１０】
2011029154.tif 000012
【図１１】
2011029154.tif 000013
【図１２】
2011029154.tif 000014
【図１３】
2011029154.tif 000015
【図１４】
2011029154.tif 000016
【図１５】
2011029154.tif 000017